(57)【特許請求の範囲】
【請求項１】
記録媒体に印刷を実行する印刷デバイスと、
フォントの中にコードに対応してグリフが存在している記号を印刷データに含まれる前記コードに基づいて前記印刷デバイスに印刷させる記号印刷手段と、
前記グリフが前記記号印刷手段によって前記印刷デバイスに印刷させることができない不正データであるか否かを分析する記号分析手段とを備える画像形成装置であって、
前記記号印刷手段は、前記フォントの中に対象の記号の前記コードに対応する前記グリフが存在している場合に、このグリフが前記不正データであることが前記記号分析手段によって分析されたとき、前記対象の記号の代替として特定の代替記号を前記印刷デバイスに印刷させ、
前記画像形成装置は、前記代替記号が印刷された前記対象の記号の前記グリフが前記不正データであることを示すレポートを前記印刷デバイスに印刷させるレポート印刷手段を備え、
前記レポートは、前記代替記号が印刷された前記対象の記号としての不正記号のグリフがどのように前記不正データであるのかを示すエラーコードを含むことを特徴とする画像形成装置。
【請求項２】
前記印刷データは、前記対象の記号の前記グリフを中に含む前記フォントを含むことを特徴とする請求項１に記載の画像形成装置。
【請求項３】
前記レポートは、
前記不正記号の前記フォントのフォーマットと、
前記不正記号の前記フォントの名称と、
前記不正記号の前記コードと
を含むことを特徴とする請求項１または請求項２に記載の画像形成装置。
【請求項４】
前記記号印刷手段は、前記代替記号に隣接して前記印刷デバイスに印刷させる記号と、前記代替記号とを異なる色で前記印刷デバイスに印刷させることを特徴とする請求項１から請求項３までの何れかに記載の画像形成装置。
【請求項５】
記録媒体に印刷を実行する印刷デバイスを備える画像形成装置によって実行される記号印刷プログラムであって、
フォントの中にコードに対応してグリフが存在している記号を印刷データに含まれる前記コードに基づいて前記印刷デバイスに印刷させる記号印刷手段、および、
前記グリフが前記記号印刷手段によって前記印刷デバイスに印刷させることができない不正データであるか否かを分析する記号分析手段として前記画像形成装置を機能させる記号印刷プログラムであって、
前記記号印刷手段は、前記フォントの中に対象の記号の前記コードに対応する前記グリフが存在している場合に、このグリフが前記不正データであることが前記記号分析手段によって分析されたとき、前記対象の記号の代替として特定の代替記号を前記印刷デバイスに印刷させ、
前記記号印刷プログラムは、前記代替記号が印刷された前記対象の記号の前記グリフが前記不正データであることを示すレポートを前記印刷デバイスに印刷させるレポート印刷手段として前記画像形成装置を機能させ、
前記レポートは、前記代替記号が印刷された前記対象の記号としての不正記号のグリフがどのように前記不正データであるのかを示すエラーコードを含むことを特徴とする記号印刷プログラム。
【請求項６】
前記印刷データは、前記対象の記号の前記グリフを中に含む前記フォントを含むことを特徴とする請求項５に記載の記号印刷プログラム。
【請求項７】
前記レポートは、
前記不正記号の前記フォントのフォーマットと、
前記不正記号の前記フォントの名称と、
前記不正記号の前記コードと
を含むことを特徴とする請求項５または請求項６に記載の記号印刷プログラム。
【発明の詳細な説明】
【技術分野】
【０００１】
本発明は、フォントの中にコードに対応してグリフが存在している文字などの記号を印刷データに含まれるコードに基づいて印刷デバイスに印刷させる画像形成装置および記号印刷プログラムに関する。
【背景技術】
【０００２】
従来の画像形成装置として、ダウンロードしたフォントの中にグリフが存在している記号を印刷データに基づいて印刷デバイスに印刷させる場合にフォントが不正であるか否かを分析し、フォントが不正であるときに正常なフォントを再びダウンロードするものが知られている（例えば、特許文献１参照。）。
【先行技術文献】
【特許文献】
【０００３】
【特許文献１】特開平９−２４４８３１号公報
【発明の概要】
【発明が解決しようとする課題】
【０００４】
しかしながら、従来の画像形成装置おいては、ダウンロードの対象である正常なフォントがそもそも存在しない場合や、ダウンロードの対象である正常なフォントを何らかの理由で再びダウンロードすることができない場合には、印刷が中断するという問題がある。
【０００５】
そこで、本発明は、グリフが不正データである記号の印刷を含む一連の印刷を中断せずに継続することができる画像形成装置および記号印刷プログラムを提供することを目的とする。
【課題を解決するための手段】
【０００６】
本発明の画像形成装置は、記録媒体に印刷を実行する印刷デバイスと、フォントの中にコードに対応してグリフが存在している記号を印刷データに含まれる前記コードに基づいて前記印刷デバイスに印刷させる記号印刷手段と、前記グリフが前記記号印刷手段によって前記印刷デバイスに印刷させることができない不正データであるか否かを分析する記号分析手段とを備え、前記記号印刷手段は、対象の記号の前記コードに対応して前記フォントの中に存在している前記グリフが前記不正データであることが前記記号分析手段によって分析された場合に、前記対象の記号の代替として特定の代替記号を前記印刷デバイスに印刷させることを特徴とする。
【０００７】
この構成により、本発明の画像形成装置は、グリフが不正データである記号の代替として特定の代替記号を印刷デバイスに印刷させるので、グリフが不正データである記号の印刷を含む一連の印刷を中断せずに継続することができる。また、本発明の画像形成装置は、グリフが不正データである記号の代替として特定の代替記号を印刷デバイスに印刷させるので、グリフが不正データである記号が印刷される予定であった位置を印刷物において明示することができる。
【０００８】
また、本発明の画像形成装置において、前記記号印刷手段は、前記代替記号に隣接して前記印刷デバイスに印刷させる記号と、前記代替記号とを異なる色で前記印刷デバイスに印刷させても良い。
【０００９】
この構成により、本発明の画像形成装置は、印刷物において色によって代替記号を明示するので、グリフが不正データである記号が印刷される予定であった位置を印刷物において更に明確化することができる。
【００１０】
また、本発明の画像形成装置において、前記印刷データは、前記対象の記号の前記グリフを含んでも良い。
【００１１】
印刷データに含まれるグリフは、グリフを作成する専門の者が作成したものではない可能性があるので、画像形成装置にもともと記憶されているグリフと比較して、不正データである可能性が高い。したがって、本発明の画像形成装置は、記号のグリフが印刷データに含まれる場合、グリフが不正データである記号の印刷を含む一連の印刷を中断せずに継続することができるという利点の重要性が高い。
【００１２】
また、本発明の画像形成装置は、前記代替記号が印刷された前記対象の記号の前記グリフが前記不正データであることを示すレポートを前記印刷デバイスに印刷させるレポート印刷手段を備えても良い。
【００１３】
この構成により、本発明の画像形成装置は、代替記号が印刷された記号のグリフが不正データであることを示すレポートを印刷デバイスに印刷させるので、グリフが不正データである記号を利用者に認識させることができる。
【００１４】
本発明の記号印刷プログラムは、記録媒体に印刷を実行する印刷デバイスを備える画像形成装置によって実行される記号印刷プログラムであって、フォントの中にコードに対応してグリフが存在している記号を印刷データに含まれる前記コードに基づいて前記印刷デバイスに印刷させる記号印刷手段、および、前記グリフが前記記号印刷手段によって前記印刷デバイスに印刷させることができない不正データであるか否かを分析する記号分析手段として前記画像形成装置を機能させ、前記記号印刷手段は、対象の記号の前記コードに対応して前記フォントの中に存在している前記グリフが前記不正データであることが前記記号分析手段によって分析された場合に、前記対象の記号の代替として特定の代替記号を前記印刷デバイスに印刷させることを特徴とする。
【００１５】
この構成により、本発明の記号印刷プログラムは、グリフが不正データである記号の代替として特定の代替記号を印刷デバイスに印刷させるので、グリフが不正データである記号の印刷を含む一連の印刷を中断せずに継続することができる。また、本発明の記号印刷プログラムは、グリフが不正データである記号の代替として特定の代替記号を印刷デバイスに印刷させるので、グリフが不正データである記号が印刷される予定であった位置を印刷物において明示することができる。
【発明の効果】
【００１６】
本発明の画像形成装置および記号印刷プログラムは、グリフが不正データである記号の印刷を含む一連の印刷を中断せずに継続することができる。
【図面の簡単な説明】
【００１７】
【図１】本発明の一実施の形態に係るＭＦＰのブロック図である。
【図２】図１に示すＭＦＰによって受信される印刷データに含まれるフォントの一例を示す図である。
【図３】図１に示す制御部によって実現される機能のブロック図である。
【図４】フォントを含む印刷データに基づいて印刷を実行する場合の図１に示すＭＦＰの動作の一例のフローチャートである。
【図５】図４に示す動作においてプリンターによって印刷された印刷物の一例を示す図である。
【図６】図１に示すプリンターによって印刷されたフォント解析レポートの一例を示す図である。
【図７】フォントを含む印刷データに基づいて印刷を実行する場合の図１に示すＭＦＰの動作のフローチャートであって、図４に示す例とは異なる例のフローチャートである。
【図８】図７に示す動作においてプリンターによって印刷された印刷物の一例を示す図である。
【発明を実施するための形態】
【００１８】
以下、本発明の一実施の形態について、図面を用いて説明する。
【００１９】
まず、本実施の形態に係る画像形成装置としてのＭＦＰ（Ｍｕｌｔｉｆｕｎｃｔｉｏｎ  Ｐｅｒｉｐｈｅｒａｌ）の構成について説明する。
【００２０】
図１は、本実施の形態に係るＭＦＰ１０のブロック図である。
【００２１】
図１に示すように、ＭＦＰ１０は、種々の操作が入力されるボタンなどの入力デバイスである操作部１１と、種々の情報を表示する表示デバイスである表示部１２と、原稿から画像を読み取る読取デバイスであるスキャナー１３と、用紙などの記録媒体に印刷を実行する印刷デバイスであるプリンター１４と、図示していない外部のファクシミリ装置と公衆電話回線などの通信回線経由でファックス通信を行うファックスデバイスであるファックス通信部１５と、ＬＡＮ（Ｌｏｃａｌ  Ａｒｅａ  Ｎｅｔｗｏｒｋ）、インターネットなどのネットワーク経由で外部の装置と通信を行うネットワーク通信デバイスであるネットワーク通信部１６と、各種のデータを記憶しているＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、ＨＤＤ（Ｈａｒｄ  Ｄｉｓｋ  Ｄｒｉｖｅ）などの記憶デバイスである記憶部１７と、ＭＦＰ１０全体を制御する制御部１８とを備えている。
【００２２】
図２は、ＭＦＰ１０によって受信される印刷データに含まれるフォント２０の一例を示す図である。
【００２３】
図２に示すように、フォント２０は、文字などの記号を表す画像データであるグリフ２１を記号毎に含んでいる。グリフ２１は、記号を識別するためのコードである文字コードに対応してフォント２０の中に存在している。
【００２４】
図１に示すように、記憶部１７は、印刷データに含まれる文字コードに基づいてプリンター１４に記号を印刷させるための記号印刷プログラム１７ａを記憶している。記号印刷プログラム１７ａは、ＭＦＰ１０の製造段階でＭＦＰ１０にインストールされていても良いし、ＳＤカード、ＵＳＢ（Ｕｎｉｖｅｒｓａｌ  Ｓｅｒｉａｌ  Ｂｕｓ）メモリーなどの記憶媒体からＭＦＰ１０に追加でインストールされても良いし、ネットワーク上からＭＦＰ１０に追加でインストールされても良い。
【００２５】
記憶部１７は、印刷データに含まれるフォント２０（図２参照。）のグリフ２１（図２参照。）が不正データである記号の代替として使用される特定の代替記号１７ｂを記憶している。代替記号１７ｂは、例えば“◆”である。
【００２６】
制御部１８は、例えば、ＣＰＵ（Ｃｅｎｔｒａｌ  Ｐｒｏｃｅｓｓｉｎｇ  Ｕｎｉｔ）と、プログラムおよび各種のデータを記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭまたは記憶部１７に記憶されているプログラムを実行する。
【００２７】
図３は、制御部１８によって実現される機能のブロック図である。
【００２８】
制御部１８は、記憶部１７に記憶されている記号印刷プログラム１７ａを実行することによって、図３に示すように、記憶部１７にフォント２０（図２参照。）の展開を行うフォント制御部１８ａ、印刷データに含まれる文字コードに基づいてプリンター１４（図１参照。）に記号を印刷させる記号印刷手段としてのフォント描画部１８ｂ、グリフ２１（図２参照。）がフォント描画部１８ｂによってプリンター１４に印刷させることができない不正データであるか否かを分析する記号分析手段としてのフォント分析部１８ｃ、および、代替記号１７ｂ（図１参照。）をプリンター１４に印刷させる記号印刷手段としてのフォントエラー処理部１８ｄとして機能する。
【００２９】
また、フォントエラー処理部１８ｄは、代替記号１７ｂが印刷された記号のグリフ２１が不正データであることを示すレポートとしてのフォント解析レポートをプリンター１４に印刷させるレポート印刷手段を構成している。
【００３０】
次に、ＭＦＰ１０の動作について説明する。
【００３１】
利用者は、フォント２０を含む印刷データをＰＣ（Ｐｅｒｓｏｎａｌ  Ｃｏｍｐｕｔｅｒ）などのコンピューターからＭＦＰ１０にネットワーク経由で送信することができる。ＭＦＰ１０は、フォント２０を含む印刷データをネットワーク通信部１６を介して受信すると、図４に示す動作を実行する。
【００３２】
図４は、フォント２０を含む印刷データに基づいて印刷を実行する場合のＭＦＰ１０の動作の一例のフローチャートである。
【００３３】
図４に示すように、フォント制御部１８ａは、ネットワーク通信部１６を介して受信した印刷データ（以下「対象印刷データ」と言う。）に含まれるフォント２０、すなわち、ダウンロードフォントが対象印刷データに基づいた印刷において使用される場合、記憶部１７にフォント２０の展開を行うことによって、記憶部１７にフォント２０を保存する（Ｓ１０１）。
【００３４】
次いで、フォント描画部１８ｂは、対象印刷データに含まれる文字コードに基づいた記号の並びの全体において、未だ対象にしていない記号のうち先頭の記号を対象にする（Ｓ１０２）。
【００３５】
次いで、フォント描画部１８ｂは、Ｓ１０１において記憶部１７に保存されたフォント２０から、対象の記号の文字コードに基づいて対象の記号のグリフ２１を取得する（Ｓ１０３）。そして、フォント描画部１８ｂは、Ｓ１０３において取得したグリフ２１が不正データであるか否かの分析をフォント分析部１８ｃに依頼する（Ｓ１０４）。
【００３６】
次いで、フォント分析部１８ｃは、Ｓ１０４において依頼されたグリフ２１が不正データであるか否かを分析して（Ｓ１０５）、Ｓ１０５における分析結果をフォント描画部１８ｂに通知する（Ｓ１０６）。
【００３７】
次いで、フォント描画部１８ｂは、グリフ２１が不正データであるという分析結果がＳ１０６において通知されたか否かを判断する（Ｓ１０７）。
【００３８】
フォント描画部１８ｂは、グリフ２１が不正データではないという分析結果がＳ１０６において通知されたとＳ１０７において判断すると、Ｓ１０３において取得したグリフ２１に基づいて対象の記号を描画する（Ｓ１０８）。
【００３９】
フォント描画部１８ｂは、グリフ２１が不正データであるという分析結果がＳ１０６において通知されたとＳ１０７において判断すると、フォントエラー処理部１８ｄにエラー処理を指示する（Ｓ１０９）。
【００４０】
次いで、Ｓ１０９における指示を受けたフォントエラー処理部１８ｄは、対象の記号の代替として代替記号１７ｂを描画する（Ｓ１１０）。
【００４１】
次いで、フォントエラー処理部１８ｄは、対象の記号のグリフ２１が不正データであることを示すフォント解析レポートを生成する（Ｓ１１１）。
【００４２】
フォント描画部１８ｂは、Ｓ１０８の処理、または、Ｓ１１１の処理が終了すると、対象印刷データに含まれる文字コードに基づいた記号の並びの全体において、未だ対象にしていない記号が存在するか否かを判断する（Ｓ１１２）。
【００４３】
フォント描画部１８ｂは、未だ対象にしていない記号が存在するとＳ１１２において判断すると、Ｓ１０２の処理を実行する。
【００４４】
一方、フォント描画部１８ｂは、未だ対象にしていない記号が存在しない、すなわち、対象印刷データに含まれる文字コードに基づいた記号の並びの全体を対象にしたとＳ１１２において判断すると、対象印刷データに基づいた印刷ジョブを実行する（Ｓ１１３）。すなわち、フォント描画部１８ｂは、Ｓ１０８の処理における描画と、Ｓ１１０の処理における描画とに基づいてプリンター１４に印刷を実行させる。
【００４５】
図５は、図４に示す動作のＳ１１３においてプリンター１４によって印刷された印刷物３０の一例を示す図である。
【００４６】
図５に示す印刷物３０において、“Ｂ”と、“Ｄ”との間の“◆”がＳ１１０の処理において描画された代替記号１７ｂである。図５に示す印刷物３０のための印刷データは、本来は“ＡＢＣＤＥ”という文字列が描画される予定の印刷データであるが、“Ｃ”のグリフ２１が不正データであったので、代替記号１７ｂとしての“◆”が“Ｃ”の代替として描画されている。なお、図５において、代替記号１７ｂとしての“◆”に隣接してプリンター１４に印刷させる記号としての“Ｂ”および“Ｄ”と、代替記号１７ｂとしての“◆”とは、同一の色、例えば黒色である。
【００４７】
図４に示すように、フォントエラー処理部１８ｄは、Ｓ１１３の処理の後、代替記号１７ｂを描画したか否か、すなわち、Ｓ１１０の処理を実行したか否かを判断する（Ｓ１１４）。
【００４８】
フォントエラー処理部１８ｄは、代替記号１７ｂを描画したとＳ１１４において判断すると、フォント解析レポートをプリンター１４に印刷させる（Ｓ１１５）。
【００４９】
図６は、Ｓ１１５においてプリンター１４によって印刷されたフォント解析レポート４０の一例を示す図である。
【００５０】
図６に示すフォント解析レポート４０は、自身の代替として代替記号１７ｂが描画された記号（以下「不正記号」と言う。）のフォントのフォーマットを示す“フォーマット”と、不正記号のフォントの名称を示す“フォント名”と、不正記号のコードを示す“不正な文字コード”と、不正記号のグリフがどのように不正データであるのかを示す“エラーコード”とを含む。
【００５１】
図４に示すように、フォントエラー処理部１８ｄは、代替記号１７ｂを描画していないとＳ１１４において判断するか、Ｓ１１５の処理が終了すると、図４に示す動作を終了する。
【００５２】
なお、ＭＦＰ１０は、プリンター１４がカラープリンターである場合、図４に示す動作に代えて、図７に示す動作を実行しても良い。
【００５３】
図７は、フォント２０を含む印刷データに基づいて印刷を実行する場合のＭＦＰ１０の動作のフローチャートであって、図４に示す例とは異なる例のフローチャートである。
【００５４】
図７に示すフローチャートは、図４に示すフローチャートにおけるＳ１１０に代えてＳ１１０ａおよびＳ１１０ｂを備えている点を除いて、図４に示すフローチャートと同一である。
【００５５】
図７に示すように、Ｓ１０９における指示を受けたフォントエラー処理部１８ｄは、対象の記号に隣接してプリンター１４に印刷させる記号の色を取得する（Ｓ１１０ａ）。
【００５６】
次いで、フォントエラー処理部１８ｄは、対象の記号の代替として代替記号１７ｂを、Ｓ１１０ａにおいて取得した色とは異なる色で描画する（Ｓ１１０ｂ）。
【００５７】
したがって、図７に示す動作のＳ１１３においてプリンター１４によって印刷された印刷物３０は、例えば図８に示すようになる。
【００５８】
図８は、図７に示す動作のＳ１１３においてプリンター１４によって印刷された印刷物３０の一例を示す図である。
【００５９】
図８に示す印刷物３０は、図５に示す印刷物３０と異なり、“Ｃ”の代替として描画されている代替記号１７ｂとしての“◆”の色と、“Ｂ”および“Ｄ”の色とが異なる。すなわち、フォント描画部１８ｂは、“Ｂ”および“Ｄ”を黒色でプリンター１４に印刷させて、“◆”を赤色で印刷させるなど、代替記号１７ｂとしての“◆”に隣接してプリンター１４に印刷させる記号としての“Ｂ”および“Ｄ”と、代替記号１７ｂとしての“◆”とを異なる色でプリンター１４に印刷させる。
【００６０】
以上に説明したように、ＭＦＰ１０は、グリフ２１が不正データである記号の代替として特定の代替記号１７ｂをプリンター１４に印刷させる（Ｓ１１０またはＳ１１０ｂ、および、Ｓ１１３）ので、グリフ２１が不正データである記号の印刷を含む一連の印刷を中断せずに最後まで継続することができる。
【００６１】
また、ＭＦＰ１０は、グリフ２１が不正データである記号の代替として特定の代替記号１７ｂをプリンター１４に印刷させる（Ｓ１１０またはＳ１１０ｂ、および、Ｓ１１３）ので、グリフ２１が不正データである記号が印刷される予定であった位置を印刷物３０において明示することができる。
【００６２】
ＭＦＰ１０は、図８に示すように、代替記号１７ｂに隣接してプリンター１４に印刷させる記号と、代替記号１７ｂとを異なる色でプリンター１４に印刷させる場合、印刷物３０において色によって代替記号１７ｂを目立たせることによって明示するので、グリフ２１が不正データである記号が印刷される予定であった位置を印刷物３０において更に明確化することができる。
【００６３】
なお、グリフ２１が不正データである記号が印刷される予定であった位置に代替記号１７ｂも含めて何も印刷させない方法も考えられる。しかしながら、この方法の場合、グリフ２１が不正データである記号が印刷される予定であったことが利用者に認識されずに誤解が生じる可能性がある。例えば、“123,456円”という文字列が印刷される場合に、“3”のグリフ２１が不正データであるとき、“12 ,456円”と表示されて、金額の桁数が誤解される可能性がある。ＭＦＰ１０は、“12◆,456円”というように代替記号１７ｂを印刷するので、グリフ２１が不正データである記号が印刷される予定であったことを利用者に明確に認識させることができる。
【００６４】
以上の例において、印刷データは、フォント２０を含んでいることによって、グリフ２１を含んでいる。印刷データに含まれるグリフ２１は、グリフ２１を作成する専門の者が作成したものではない可能性があるので、ＭＦＰ１０にもともと記憶されているグリフ２１と比較して、不正データである可能性が高い。したがって、ＭＦＰ１０は、記号のグリフ２１が印刷データに含まれる場合、グリフ２１が不正データである記号の印刷を含む一連の印刷を中断せずに継続することができるという利点の重要性が高い。
【００６５】
なお、ＭＦＰ１０は、ＭＦＰ１０にもともと記憶されているフォント２０に基づいて図４に示す動作を実行しても良い。
【００６６】
ＭＦＰ１０は、代替記号１７ｂが印刷された記号、すなわち、不正記号のグリフ２１が不正データであることを示すレポートとしてのフォント解析レポート４０をプリンター１４に印刷させる（Ｓ１１５）ので、グリフ２１が不正データである記号を利用者に認識させることができる。
【００６７】
ＭＦＰ１０は、印刷物３０における代替記号１７ｂと、フォント解析レポート４０とによって、グリフ２１が不正データである記号を利用者に漏れなく認識させることができる。
【００６８】
なお、ＭＦＰ１０は、Ｓ１０１において記憶部１７にフォント２０を保存するが、記憶部１７以外の記憶デバイスにフォント２０を保存しても良い。例えば、ＭＦＰ１０は、Ｓ１０１において制御部１８のＲＡＭにフォント２０を保存しても良い。
【００６９】
本発明の画像形成装置は、本実施の形態においてＭＦＰであるが、印刷データに基づいた印刷を実行する画像形成装置であれば、プリンター専用機など、ＭＦＰ以外の画像形成装置であっても良い。
【符号の説明】
【００７０】
１０  ＭＦＰ（画像形成装置）
１４  プリンター（印刷デバイス）
１７ａ  記号印刷プログラム
１７ｂ  代替記号
１８ｂ  フォント描画部（記号印刷手段）
１８ｃ  フォント分析部（記号分析手段）
１８ｄ  フォントエラー処理部（記号印刷手段、レポート印刷手段）
２０  フォント
２１  グリフ
４０  フォント解析レポート（レポート）
【図１】
0006319575.tif 000002
【図２】
0006319575.tif 000003
【図３】
0006319575.tif 000004
【図４】
0006319575.tif 000005
【図５】
0006319575.tif 000006
【図６】
0006319575.tif 000007
【図７】
0006319575.tif 000008
【図８】
0006319575.tif 000009